(57)【要約】【課題】計数ホッパによる計数動作をより確実に行なう。【解決手段】受け皿側通路５０の底壁５００２の一部に、メダルＭが流れる方向に沿って延在する突出壁５２が突設され、突出壁５２と側壁５００４との間隔は、メダルの直径よりも小さい寸法で形成されている。１枚あるいは複数枚のメダルＭが受け部４８に投入され、当初は、メダルＭの表面又は裏面が受け皿側通路５０の底壁５００２に接触した状態で底壁５００２に沿って下方に移動した場合であっても、メダルＭの縁部が必ず突出壁５２に案内されることでメダルＭは底壁５００２から立ち上がった状態となり、その状態を維持して受け皿側通路５０から開口３８へ排出される。底壁５００２から立ち上がったメダルＭの面が検知センサ４４の検知光をより確実に遮蔽する。【選択図】図１２
2018015037.tif 000002
【特許請求の範囲】
【請求項１】
計数ホッパと、前記計数ホッパにメダルを供給する計数メダル通路と、前記計数メダル通路に設けられ検知光に基づいてメダルを検知する検知センサとを備え、
前記検知光よりも上流側の前記計数メダル通路の箇所に、底壁と、前記底壁の両側に位置する両側の側壁とを備える遊技媒体貸出機であって、
前記底壁の一部に、メダルが流れる方向に沿って延在する突出壁が突設され、
前記突出壁と前記側壁との間隔は、メダルの直径よりも小さい寸法で形成されている、
ことを特徴とする遊技媒体貸出機。
【請求項２】
前記突出壁は、前記側壁に平行して延在している、
ことを特徴とする請求項１記載の遊技媒体貸出機。
【請求項３】
前記突出壁の前記底壁からの高さは、前記メダルが流れる方向に沿って次第に上昇している、
ことを特徴とする請求項１または２記載の遊技媒体貸出機。
【請求項４】
前記底壁に、複数の水抜き孔が設けられている、
ことを特徴とする請求項１〜３の何れか１項記載の遊技媒体貸出機。
【発明の詳細な説明】
【技術分野】
【０００１】
本発明は、遊技機に併設される遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、遊技者が貨幣を貨幣投入口に投入することで、あるいは、所定のカード媒体をカード挿入口に挿入することで、メダルの払い出しを行なう。
また、メダルの計数機能を備える遊技媒体貸出機には、メダルを投入する計数遊技媒体受け皿と、計数遊技媒体受け皿に投入されたメダルを計数ホッパに導く計数メダル通路とが設けられている。
そして、計数メダル通路には、検知光を照射し、検知光がメダルで遮蔽されることでメダルの通過を検出し、計数ホッパの計数動作を開始させる検知信号を出力する検知センサが設けられている。
【先行技術文献】
【特許文献】
【０００３】
【特許文献１】特開２０１４−０３６８３１公報
【発明の概要】
【発明が解決しようとする課題】
【０００４】
多数のメダルが計数遊技媒体受け皿に投入された場合は、検知光が多数のメダルにより確実に遮蔽されるため、検知センサから検知信号が確実に出力され、したがって、計数ホッパによるメダルの計数が確実になされる。
一方、何らかの事情により１枚あるいは複数枚のメダルが計数遊技媒体受け皿に投入された場合には、一般的にこのメダルは、計数メダル通路の底壁に沿って寝かされた状態で移動するため、メダルが検知光を遮蔽しないことも考えられる。
メダルによって検知光が遮蔽されないと、検知センサから検知信号が出力されず、計数ホッパの計数動作が開始されないため、メダルの計数もれが発生することが懸念される。なお、検知センサの配置数は、なるべく少ない数量であることが好ましい。
本発明は、上記事情に鑑みなされたものであり、本発明の目的は、計数ホッパによる計数動作をより確実に行なう上で有利な遊技媒体貸出機を提供することにある。
【課題を解決するための手段】
【０００５】
上記目的を達成するために、請求項１記載の発明は、計数ホッパと、前記計数ホッパにメダルを供給する計数メダル通路と、前記計数メダル通路に設けられ検知光に基づいてメダルを検知する検知センサとを備え、前記検知光よりも上流側の前記計数メダル通路の箇所に、底壁と、前記底壁の両側に位置する両側の側壁とを備える遊技媒体貸出機であって、前記底壁の一部に、メダルが流れる方向に沿って延在する突出壁が突設され、前記突出壁と前記側壁との間隔は、メダルの直径よりも小さい寸法で形成されていることを特徴とする。
請求項２記載の発明は、前記突出壁は、前記側壁に平行して延在していることを特徴とする。
請求項３記載の発明は、前記突出壁の前記底壁からの高さは、前記メダルが流れる方向に沿って次第に上昇していることを特徴とする。
請求項４記載の発明は、前記底壁に、複数の水抜き孔が設けられていることを特徴とする。
【発明の効果】
【０００６】
請求項１記載の発明によれば、計数メダル通路の底壁の一部に、メダルが流れる方向に沿って延在する突出壁が突設され、突出壁と側壁との間隔は、メダルの直径よりも小さい寸法で形成されている。
したがって、１枚のメダルの表面又は裏面が底壁に接触した状態で底壁に沿って下方に移動した場合であっても、メダルの縁部が必ず突出壁に案内されることでメダルは底壁から立ち上がった状態となり、検知センサの検知光を遮蔽しやすくなる。そのため、計数ホッパによる計数動作をより確実に行なう上で有利となる。
請求項２、３記載の発明によれば、メダルを計数ホッパに円滑に供給する上で有利となる。
請求項４記載の発明によれば、メダルの立ち上げ動作を阻害することなく、計数メダル通路の底壁を有効に利用しつつ、計数ホッパの故障を防止する上で有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】実施の形態に係る遊技媒体貸出機の受け皿用蓋が閉じた状態を示す斜視図である。
【図３】図２の側面図である。
【図４】実施の形態に係る遊技媒体貸出機の受け皿用蓋が開いた状態を示す斜視図である。
【図５】受け皿用蓋が計数遊技媒体受け皿から取り外された状態を示す斜視図である。
【図６】下部正面板を背面側から見た斜視図である。
【図７】ノズルシュート、ノズル、計数遊技媒体受け皿が組み付けられた下部正面板の背面図である。
【図８】ノズルシュート、ノズル、計数遊技媒体受け皿が組み付けられた下部正面板の平面図である。
【図９】図８の側面図である。
【図１０】（Ａ）は通路部材の平面図、（Ｂ）は（Ａ）の側面図、（Ｃ）は（Ｂ）のＣＣ線断面図、（Ｄ）は図（Ａ）の背面図である。
【図１１】計数メダル通路を流れるメダルが突出壁で案内されて立ち上がる状態を説明する斜視図である。
【図１２】計数メダル通路を流れるメダルが突出壁で案内されて立ち上がる状態を説明する側面図である。
【発明を実施するための形態】
【０００８】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。
遊技媒体貸出機１０は、筐体１２と、筐体本体１４と、ビルバリユニット１６と、制御部１８と、払い出しホッパ２０と、ノズルシュート２２と、ノズル２４と、計数遊技媒体受け皿２６と、受け皿用蓋２８と、計数ホッパ２１と、計数ホッパ２１にメダルを供給する計数メダル通路３６（図６、図９参照）と、計数メダル通路３６に設けられ検知光に基づいてメダルＭ（図１１、図１２参照）を検知する検知センサ４４（図７〜図９参照）とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
複数の正面板は、ビルバリユニット用正面板１６Ａ、制御部側正面板１８Ａ、開閉蓋３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４が設けられている。
カード挿入口１８０２には、遊技者の情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
【００１１】
制御部１８の下方には開口３４が設けられている。開口３４は、払い出しホッパ２０にメダルを補充する部分であり、制御部側正面板１８Ａの下方に位置する正面開口部１４１０の部分で構成され、開口３４は、開閉蓋３０で開閉される。開閉蓋３０は専用のキーをキー孔３０１０に差し込むことで開閉操作が許容される。
払い出しホッパ２０は、開口３４から投入されたメダルを収容すると共に、制御部１８から指定された枚数のメダルをノズルシュート２２に払い出すものである。
【００１２】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１３】
正面開口部１４１０の下部には下部正面板３２が着脱可能に取着されており、開閉蓋３０で閉塞される正面開口部１４１０の部分の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に伝達される。
下部正面板３２は、筐体１２の内部と反対に位置する正面３２０２を有し、この正面３２０２は筐体１２の正面を構成している。
また、図６、図７に示すように、下部正面板３２の背面３２０４には、ノズルシュート２２に連通し払い出しホッパ２０から払い出されたメダルをノズルシュート２２に導く払い出しメダル通路４２が設けられている。
【００１４】
図５、図６に示すように、下部正面板３２の両側には、それぞれ上下方向に間隔をおいて３つの係止爪３２１０が突設されている。
下部正面板３２は、それら３つの係止爪３２１０が筐体１２の正面開口部１４１０の下部の両側の係止孔（不図示）に、上方から下方に挿入され係止されることで筐体１２に装着される。
上述したように下部正面板３２の上方には開閉蓋３０が開閉可能に設けられ、開閉蓋３０が閉じた状態で、開閉蓋３０の下端と下部正面板３２の上端とは当接可能となるため、下部正面板３２の上方への変位は不能となり、すなわち、下部正面板３２の取り外しは不能となる。
また、開閉蓋３０が開いた状態で、開閉蓋３０の下端は下部正面板３２の上端から離れるため、下部正面板３２の上方への変位が可能となり、すなわち、下部正面板３２の取り外しが可能となる。
【００１５】
図４、図５に示すように、計数遊技媒体受け皿２６は、下部正面板３２の正面３２０２でノズルシュート２２の上に設けられている。
計数遊技媒体受け皿２６は、ノズルシュート２２と一体に設けられた上方に開放状の周壁部２６０２を有している。
受け皿用蓋２８は、周壁部２６０２に設けられた軸受部２６０４に開閉可能に設けられている。
図８、図９、図１０に示すように、周壁部２６０２には、通路部材４６が装着される。
通路部材４６は、周壁部２６０２に収容される上方を向いた遊技媒体の受け部４８と、受け皿側通路５０とを備えている。
したがって、本実施の形態では、計数遊技媒体受け皿２６は、周壁部２６０２と受け部４８とで構成されている。
【００１６】
計数メダル通路３６は、受け部４８に投入されたメダルを計数ホッパ２１に導く。
図９に示すように、計数メダル通路３６は、受け皿側通路５０と、下部正面板３２に形成された開口３８と、カバー４０とを含んで構成されている。
受け皿側通路５０は、受け部４８に供給されたメダルを開口３８に向けて導く。
開口３８は、受け皿側通路５０に導かれたメダルを下部正面板３２の内側に導く。
カバー４０は、開口３８から放出されたメダルを計数ホッパ２１に導くもので、カバー４０と下部正面板３２の背面３２０４とにより計数メダル通路下流部が形成されている。
図８、図９に示すように、カバー４０は、開口３８に対向する背面壁４００２と、背面壁４００２の両側から起立し下部正面板３２の背面３２０４に取着され両側の側壁４００４と、背面壁４００２の上端と両側の側壁４００４の上端とを接続する上壁４００６とを有している。
【００１７】
検知センサ４４は、例えば両側の側壁４００４の下部の貫通孔４０１０に対向して配置されている。
検知センサ４４は、一方の側壁４００４から他方の側壁４００４に向かって検知光を照射し、検知光がメダルで遮蔽されることでメダルの通過を検出し、制御部１８に検出信号を伝達する。制御部１８は検出信号を受け付けると、計数ホッパ２１に計数動作を開始させる制御を行なう。なお、図７、図１１において符号Ｌは検知光が照射される光軸の位置を示す仮想線である。
【００１８】
したがって、検知センサ４４が配置された箇所よりも上流側の計数メダル通路３６の箇所は、通路部材４６の受け皿側通路５０で構成されている。
図１０（Ｂ）に示すように、受け皿側通路５０は、下流側の開口３８に向かうにつれて下り坂になるように形成されている。
図１０（Ｂ）、（Ｃ）、（Ｄ）に示すように、受け皿側通路５０は、下流側の下部正面板３２に対向する底壁５００２と、底壁５００２の両側に位置する両側の側壁５００４とを有している。
一方の側壁５００４は、通路部材４６に一体に設けられ、他方の側壁５００４は、ノズルシュート２２の周壁２２０２により構成されている。
底壁５００２は、下流側の開口３８に至るに連れて下り坂になるように傾斜で形成されている。
底壁５００２の延在方向の中間部から底壁５００２の終端にわたって複数の水抜き孔５００６が設けられている。
また、底壁５００２の延在方向の中間部から底壁５００２の下端にわたってメダルＭの進行方向に沿った複数のリブ５００８が簀の子状に隙間を形成しながら配置されている。
【００１９】
図１０（Ａ）〜（Ｄ）に示すように、受け皿側通路５０の底壁５００２の一部に、メダルＭが流れる方向に沿って延在する突出壁５２が突設されている。この突出壁５２は、受け皿側通路５０の底壁５００２の一部に、一乃至複数箇所突設させることができる。また、突出壁５２は、下り坂に形成された底壁５００２の部分に突設させることが好ましい。
突出壁５２と側壁５００４との間隔は、メダルＭの直径よりも小さい寸法で形成されている。
突出壁５２は、例えば側壁５００４に平行して延在し、突出壁５２の底壁５００２からの高さは、メダルＭが流れる下流方向に沿って次第に上昇している。
また、突出壁５２の底壁５００２からの高さは、メダルＭの直径よりも小さい寸法で形成することもできる。また、突出壁５２の側壁部には、開口を形成することもできる。そして、この開口に検知センサ４４の光軸を配置する構成を採用することもできる。
また、突出壁５２を突設する位置は、ノズルシュート２２の内部に限定するものではなく、カバー４０の内部又は筐体１２の内部等の計数メダル通路に突設することができる。
【００２０】
次に作用効果について説明する。
本実施の形態によれば、受け皿側通路５０の底壁５００２の一部に、メダルＭが流れる方向に沿って延在する突出壁５２が突設され、突出壁５２と側壁５００４との間隔は、メダルＭの直径よりも小さい寸法で形成されている。
したがって、図１１、図１２に示すように、何らかの事情により１枚あるいは複数枚のメダルＭが受け部４８に投入され、当初は、メダルＭの表面又は裏面が受け皿側通路５０の底壁５００２に接触した状態で底壁５００２に沿って下方に移動した場合であっても、図１０（Ｃ）に示すように、メダルＭの縁部が必ず突出壁５２に案内されることでメダルＭは底壁５００２から立ち上がった状態となり、その状態を維持して受け皿側通路５０から開口３８へ排出される。
そのため、底壁５００２から立ち上がったメダルＭの面が検知センサ４４の検知光を遮蔽しやすくなり、検知センサ４４によって検知されないといった非検知を減少させることができる。そのため、計数ホッパ２１による計数動作をより確実に行うことができるため、メダルＭの計数もれを減少させる上で有利となる。
【００２１】
また、本実施の形態では、突出壁５２は、例えば側壁５００４に平行して延在しているので、メダルＭの進行を妨げるおそれがなく、メダルＭを計数ホッパ２１に円滑に供給する上で有利となる。
また、本実施の形態では、突出壁５２の底壁５００２からの高さは、メダルＭが流れる方向に沿って次第に上昇しているので、メダルＭが突出壁５２に接触して円滑にメダルＭが立ち上がりやすくなり、メダルＭを計数ホッパ２１に円滑に供給する上で有利となる。
また、本実施の形態では、底壁５００２に、複数の水抜き孔５００６が設けられているので、計数遊技媒体受け皿２６に飲料などの液体が流しこまれても、飲料が水抜き孔５００６から下方に排出され、底壁５００２上に液体が滞留しない。そのため、メダルＭの立ち上げ動作を阻害することなく、計数メダル通路３６の底壁５００２を有効に利用しつつ、計数ホッパ２１にメダルＭと共に液体が流入して計数ホッパ２１が故障することを防止する上で有利となる。
【符号の説明】
【００２２】
１０  遊技媒体貸出機
２１  計数ホッパ
３６  計数メダル通路
４４  検知センサ
４６  通路部材
５０  受け皿側通路
５００２  底壁
５００４  側壁
５００６  水抜き孔
５２  突出壁
Ｍ  メダル
【図１】
2018015037.tif 000003
【図２】
2018015037.tif 000004
【図３】
2018015037.tif 000005
【図４】
2018015037.tif 000006
【図５】
2018015037.tif 000007
【図６】
2018015037.tif 000008
【図７】
2018015037.tif 000009
【図８】
2018015037.tif 000010
【図９】
2018015037.tif 000011
【図１０】
2018015037.tif 000012
【図１１】
2018015037.tif 000013
【図１２】
2018015037.tif 000014